(57)【要約】【課題】変形後の戦闘機において、ロボットの変形として予測させることが困難で、独自の戦闘機として構成したものと思わせる形態をとることのできる変形ロボット玩具。【解決手段】ロボットを戦闘機の形態に変化できる変形ロボット玩具である。  胴体部の胸部に放射状に配置され複数の舌片部が、中心側に指向する先端を前記中心側と反対側に指向できるように胴体部に対して回動可能に配置できる。戦闘機への変形操作は以下の通りである。頭部を胴体部に対して回動させることによって胴体部の背面側に移動し、左右腕部をそれぞれ先端が前記胴体部の上方で近接して位置づけられるように回動する。左右脚部をそれぞれ大腿部と下腿部との間の関節部で回動させることにより、先端が前記胴体部の腰部の両脇に位置づけさせる。複数の舌片部を回動させ、これら舌片部によって胴体部と左右腕部、左右腕部と左右脚部、胴体部と大腿部と下腿部との間の空隙部を閉塞する。【選択図】  図７
2012011032.tif 000002
【特許請求の範囲】
【請求項１】
胴体部、頭部、関節部を有する左右腕部、関節部を有する左右脚部を備えたロボットを戦闘機の形態に変化できる変形ロボット玩具であって、
前記胴体部の胸部に放射状に配置され、中心側に指向する先端を前記中心側と反対側に指向できるように前記胴体部に対して回動可能に配置される複数の舌片部が備えられ、
前記戦闘機は、前記頭部を、前記胴体部に対して回動させることによって前記胴体部の背面側に移動させ、
前記左右腕部を、それぞれ、先端が前記胴体部の上方で近接して位置づけられるように回動させ、
前記左右脚部を、それぞれ、大腿部と下腿部との間の関節部で回動させることにより、先端が前記胴体部の腰部の両脇に位置づけさせ、
前記複数の舌片部を回動させ、これら舌片部によって、前記胴体部と前記左右腕部の間の空隙部、前記左右腕部と左右脚部との間の空隙部、前記胴体部と大腿部と下腿部との間の空隙部を閉塞することによって変形させる変形ロボット玩具。
【請求項２】
請求項１において、
前記胴体部の背面側に凹部が形成され、前記頭部は前記凹部に収納される変形ロボット玩具。
【請求項３】
請求項２において、
前記胴体部の背面側には、前記凹部を閉塞する蓋部が設けられている変形ロボット玩具。
【請求項４】
請求項１乃至請求項３のいずれか一項において、
前記下腿部は大腿部に対して脚部の長手方向の周りに回動でき、前記下腿部の側面に備えられる噴射装置が前後方向の少なくとも一方側に位置づけられる変形ロボット玩具。
【請求項５】
請求項１乃至請求項４のいずれか一項において、
前記複数の舌片部は、第１乃至第５の舌片部を有し、前記第１の舌片部には額、前記第２の舌片部と前記第３の舌片部には目、前記第４の舌片部と前記第５の舌片部には頬や口を表現する模様が描かれている変形ロボット玩具。
【発明の詳細な説明】
【技術分野】
【０００１】
本発明は変形ロボット玩具に関する。
【背景技術】
【０００２】
形態が変化する種々の変形ロボット玩具が知られている。たとえば、人体の形態をなすロボットを戦闘機の形態に変化させるものもその１つとなっている。
【０００３】
人体の形態をなすロボットは、他のロボットと戦闘させることによって遊技上の興味をそそらせることができ、さらに、地上での戦闘から空中戦に変化させることによって、より一層、遊技上の興味を向上させることができるからである。
【先行技術文献】
【特許文献】
【０００４】
【特許文献１】特開２００１−０７０６５９
【発明の概要】
【発明が解決しようとする課題】
【０００５】
しかし、このような変形ロボット玩具を戦闘機の形態に変化させた場合、目視される戦闘機の形態において、変形前のロボットを予想させる痕跡が多く残っていたことが否めなかった。
【０００６】
それ故、変形後の戦闘機において、ロボットの変形として予測させることが困難で、独自の戦闘機として構成したものと思わせる形態をとることが望まれる。
【０００７】
本発明は、変形後の戦闘機において、ロボットの変形として予測させることが困難で、独自の戦闘機として構成したものと思わせる形態をとることができる変形ロボット玩具を提供することにある。
【課題を解決するための手段】
【０００８】
本発明の変形ロボット玩具は、本発明の変形ロボット玩具は、胴体部、頭部、関節部を有する左右腕部、関節部を有する左右脚部を備えたロボットを戦闘機の形態に変化できる変形ロボット玩具であって、胴体部の胸部に放射状に配置され、中心側に指向する先端を前記中心側と反対側に指向できるように胴体部に対して回動可能に配置される複数の舌片部が備えられ、戦闘機は、頭部を、胴体部に対して回動させることによって胴体部の背面側に移動させ、左右腕部を、それぞれ、先端が前記胴体部の上方で近接して位置づけられるように回動させ、左右脚部を、それぞれ、大腿部と下腿部との間の関節部で回動させることにより、先端が胴体部の腰部の両脇に位置づけさせ、複数の舌片部を回動させ、これら舌片部によって、胴体部と左右腕部の間の空隙部、左右腕部と左右脚部との間の空隙部、胴体部と大腿部と下腿部との間の空隙部を閉塞することによって変形させる。
【０００９】
また、本発明の変形ロボット玩具において、胴体部の背面側に凹部が形成され、頭部は凹部に収納されることが好ましい。また、本発明の変形ロボット玩具において、胴体部の背面側には、凹部を閉塞する蓋部が設けられていることが好ましい。また、本発明の変形ロボット玩具において、下腿部は大腿部に対して脚部の長手方向の周りに回動でき、下腿部の側面に備えられる噴射装置が前後方向の少なくとも一方側に位置づけられることを特徴とする。
【発明の効果】
【００１０】
本発明の変形ロボット玩具によれば、変形後の戦闘機において、ロボットの変形として予測させることが困難で、独自の戦闘機として構成したものと思わせる形態をとることができるようになる。
【図面の簡単な説明】
【００１１】
【図１】本発明の変形ロボット玩具の実施態様を示し、第１の形態（ロボット）をとるロボットの正面図である。
【図２】本発明の変形ロボット玩具の実施態様を示し、第１の形態をとるロボットの背面図である。
【図３】本発明の変形ロボット玩具の実施態様を示し、第２の形態（戦闘機）をとるロボットの下面図である。
【図４】本発明の変形ロボット玩具の実施態様を示し、第２の形態をとるロボットの上面図である。
【図５】本発明の変形ロボット玩具の第１の形態において、頭部を背中に形成された凹部に頭部を収納する様子を示した斜視図である。
【図６】本発明の変形ロボット玩具が第１の形態から第２の形態に変化する第１過程を示した説明図である。
【図７】本発明の変形ロボット玩具が第１の形態から第２の形態に変化する第２過程を示した説明図である。
【図８】本発明の変形ロボット玩具が第１の形態から第２の形態に変化する第３過程を示した説明図である。
【発明を実施するための形態】
【００１２】
以下、本発明の実施形態について、図面を参照しながら詳細に説明する。各図において同一の符号を付した部分は同一の部材を示している。
【００１３】
（実施形態１）
図１、図２は、それぞれ、本発明の変形ロボット玩具の実施形態１を示す正面図、背面図である。図１、図２において、変形ロボット玩具１００は、人体を模したロボット（以下、単にロボット１００Ａという）の形態として示されている。該ロボット１００Ａはたとえば成型樹脂材によって構成されている。
【００１４】
ロボット１００Ａは、胴体部１０を有し、この胴体部１０の上部の肩部１１Ｒ、１１Ｌの間には頭部２０が取り付けられている。胴体部１０の右側の肩部１１Ｒには右腕部３０Ｒが取り付けられ、胴体部１０の左側の肩部１１Ｌには左腕部３０Ｌが取り付けられている。また、胴体部１０の下部に相当する腰部４０には右脚部５０Ｒおよび左脚部５０Ｌが取り付けられている。
【００１５】
右腕部３０Ｒ、左腕部３０Ｌは、それぞれ、左右対称の形状および機構で形成されている。このため、たとえば右腕部３０Ｒについて説明すると、該右腕部３０Ｒは、肩部１１Ｒと図示しない支軸によって軸支され、この支軸を中心にして前後方向に揺動（回動）できるようになっている。また、右腕部３０Ｒは、肩部１１Ｒ側から先端にかけて、上腕部３２Ｒ、前腕部３３Ｒから構成され、前腕部３３Ｒは上腕部３２Ｒと支軸３４Ｒによって軸支されている。支軸３４Ｒはロボット１００Ａの前後方向へ中心軸を有し、これにより、前腕部３３Ｒは支軸３４Ｒを中心にして図中Ｂ方向へ回動できるようになっている。なお、図１中、左腕部３０Ｌを構成する各部材には、右腕部３０Ｒの対応する部材と同数字に添字Ｌからなる符号（たとえば、右腕部３０Ｒの上腕部が３２Ｒであるのに対し、右腕部３０Ｌの上腕部は３２Ｌ）を付して示している。上述したように、左腕部３０Ｌは右腕部３０Ｒと同様の構成となっている。
【００１６】
右脚部５０Ｒ、左脚部５０Ｌは、それぞれ、左右対称の形状および機構で形成されている。このため、右脚部５０Ｒについて説明すると、該右脚部５０Ｒは、腰部４０と図示しない支軸によって軸支され、この支軸を中心にして前後方向に回動できるようになっている。右脚部５０Ｒのこのような動きは、左脚部５０Ｌの同様の動きとともに、ロボット１００Ａを人体と同様に前進および後退させるようにするためである。また、右脚部５０Ｒは、腰部４０側から先端にかけて、大腿部５１Ｒ、下腿部５２Ｒ、足部５３Ｒから構成され、下腿部５２Ｒは大腿部５１Ｒと図示しない支軸によって軸支され、人体と同様、この支軸を中心にして前後方向に回動できるようになっている。また、足部５３Ｒは、下腿部５２Ｒと図示しない支軸によって軸支され、人体と同様、この支軸を中心にして上下方向に回動できるようになっている。なお、図１中、左脚部５０Ｌを構成する各部材には、右脚部５０Ｒの対応する部材と同数字に添字Ｌからなる符号を付して示している。上述したように、左脚部５０Ｌは右脚部５０Ｒと同様の構成となっている。
【００１７】
なお、図１に示すように、胴体部１０の胸部には、その大部分の領域において、たとえば５個の舌片部６０ａ、６０ｂ、６０ｃ、６０ｄ、６０ｅが放射状に配置されて構成されている。これら各舌片部６０ａ、６０ｂ、６０ｃ、６０ｄ、６０ｅは、中心側に指向する先端とは反対側の端部（基部）において、それぞれ支軸６１ａ、６１ｂ、６１ｃ、６１ｄ、６１ｅによって胴体部１０に取り付けられている。これら各支軸６１ａ、６１ｂ、６１ｃ、６１ｄ、６１ｅは、それぞれ、各舌片部６０ａ、６０ｂ、６０ｃ、６０ｄ、６０ｅの端部の辺に沿って中心軸を有するように配置されている。これにより、各舌片部６０ａ、６０ｂ、６０ｃ、６０ｄ、６０ｅは、それぞれ、支軸６１ａ、６１ｂ、６１ｃ、６１ｄ、６１ｅを中心として回動でき、先端を前記中心側と反対側の方向に指向できるように配置させることができるようになっている。これら舌片部６０ａ、６０ｂ、６０ｃ、６０ｄ、６０ｅの動作については後述する。
【００１８】
また、図２に示すように、胴体部１０の背面側は、腰部４０に近接する個所において支軸７０によって胴体部１０に軸支された蓋部７０を備えている。この蓋部７０は、頭部２０側に延在する矩形状をなして構成されている。図２では明らかでないが、蓋部７０は前記支軸７１を中心に回動でき、これにより、蓋部７０によって被われていた胴体部１０の裏面を露出させることができるようになっている。胴体部１０の蓋部７０によって被われている面には、凹部（図５において符号７２で示す）が形成され、後述するように、この凹部内に頭部２０を収納できるようになっている。
【００１９】
このように構成された形態のロボット１００Ａは、人体の動きとほぼ同様な動きができ、緩慢あるいは急激な走行をさせたり、あるいは、他の図示しないロボット等と戦闘させたりして、遊技上の興味をそそることができるようになっている。また、このようなロボット１００Ａは、机の上に載置して飾ったりすることもできることはいうまでもない。ロボット１００Ａの下腿部５２Ｒ、５２Ｌは、大腿部５１Ｒ、５１Ｌと比較して大きく形成され、これにより、ロボット１００Ａの重心が載置面に近くなり、重心の安定化が図れるようになっている。また、足部５３Ｒ、５３Ｌの形成によって載置面との当接面を大きくでき、ロボット１００Ａが倒れ難い構成となっている。
【００２０】
図３、図４は、図１、図２に示したロボット１００Ａの各構成部材を回動させることによって該ロボット１００Ａを変形させて得られる戦闘機１００Ｂの形態を示した図である。図３は、戦闘機１００Ｂの下面図で、ロボット１００Ａの形態の際の正面図に対応している。図４は、戦闘機１００Ｂの上面図で、ロボット１００Ａの形態の際の背面図に対応している。図３、図４に示す戦闘機１００Ｂは、飛行方向（図中上方向）に先鋭部を有するほぼ三角形状の船体からなるとともに、目視される形態からは図１、図２に示したロボット１００Ａを予想させる痕跡が隠されてしまっている形態となっている。すなわち、図３、図４に示す戦闘機１００Ｂは、ロボット１００Ａの変形として予測させることが困難で、ロボット１００Ａとは別個の独自の戦闘機１００Ｂとして構成したものと思わせる形態となっている。
【００２１】
次に、本発明の変形ロボット玩具１００のさらなる詳細な構成とともに、戦闘機１００Ｂへの変形の過程を説明する。
【００２２】
まず、ロボット１００Ａの頭部２０について説明する。図５は、ロボット１００Ａを背面上方側から観た斜視図である。蓋部７０が支軸７１を中心に回動されることによって開いた状態となっており、これにより露出された凹部７２に頭部２０が収納されている状態を示している。
【００２３】
図５に示すように、ロボット１００Ａの背中部の頭部２０に近接する個所には凹部７２が設けられている。頭部２０は胴体部１０との取り付け部において背中部側に配置される支軸２１によって軸支されている。頭部２０は前記支軸２１を中心に後方へ回動でき、この回動を続けることによって頭部２０は前記凹部７２内に収納させることができるようになっている。図１には、同図に示す状態の頭部を矢印Ａ方向に回動によって胴体部１０の背面側へ傾倒できることを示している。前記凹部７２内では頭部２０は上下逆の状態で顔が後方向きに指向されて収納されることになる。そして、頭部２０が収納された凹部７２はロボット１００Ａの背中部に支軸７１を中心として回動自在に設けた蓋部７０によって閉塞されるようになっている（図２参照）。これにより、ロボット１００Ａの特徴部となる頭部２０を変形ロボット玩具１００の外観によって目視することができなくなる。
【００２４】
次に、ロボット１００Ａの左右腕部（右腕部３０Ｒ、左腕部３０Ｌ）について説明する。右腕部３０Ｒ、左腕部３０Ｌは、それぞれ、左右対称の形状および機構で形成されている。このため、右腕部３０Ｒについて説明すると、図１に示したように、前腕部３３Ｒは上腕部３２Ｒと支軸３４Ｒによって軸支され、この支軸３４Ｒを中心にして揺動できるようになっている。前記支軸３４Ｒはロボット１００Ａの前後方向に中心軸を有し、前腕部３３Ｒは、いわゆる手がほぼ水平となる方向（図中矢印Ｂ方向）に回動できるようになっている。この場合、前腕部３３Ａは、比較的細くかつ薄く形成された連結部３５Ｒを介在させて上腕部３２Ｒに連結（前記支軸３４Ｒ等によって）され、前腕部３３Ｒが上腕部３２Ｒの周りに回動する過程において、該上腕部３２Ｒとの干渉を回避させるようになっている。
【００２５】
前腕部３３Ｒの上腕部３２Ｒに対する回動によって、前腕部３３Ｒと上腕部３２Ｒがいわゆる手がほぼ水平となる形態となった（図６参照）後に、さらに前腕部３３Ａをそのまま回動方向に移動させていく（図６中、矢印Ｂ’で示す）と、今度は、前腕部３３Ｒおよび上腕部３２Ｒが、直線状となったまま、肩部１１Ｒに対して回動するようになっている。ここで、前記肩部１１Ｒには、図６、図７に示すように、ロボット１００Ａの前後方向に中心軸を有する支軸１２Ｒが取り付けられ、前腕部３３Ｒおよび上腕部３２Ｒは支軸１２Ｒを中心として回動できるようになっている。
【００２６】
前腕部３３Ｒ、上腕部３２Ｒの直線状の形態をとる回動は、前腕部３３Ｒの先端（いわゆる手の部分）がロボット１００Ａの肩部１１Ｒ、１１Ｌの間の上方の位置（いままで頭部２０があった位置）に来るまでなされるようになっている（図７参照）。左腕部３０Ｌにおいても、上述した同様の動作を行わせることができる。これにより、図７に示すように、胴体部１０の上方において、右腕部３０Ｒの先端と左腕部３０Ｌの先端とが当接され、戦闘機１００Ｂの前方における先鋭部の形態をとるようになる。なお、図６、図７中、左腕部３０Ｌを構成する上述の各部材には、右脚部３０Ｒの対応する部材と同数字で添字Ｒに替えて添字Ｌからなる符号を付して示している。
【００２７】
ここで、図７に示すように、胴体部１０と右腕部３０Ｒと左腕部３０Ｌは、それらの間にほぼ三角形状の孔からなる空隙部ＳＰ１を形成するようになる。すなわち、胴体部１０のうち肩部１１Ｒ、１１Ｌ側の外側面、右腕部３０Ｒの上腕部３２Ｒおよび前腕部３３Ｒの上方側面（ロボット１００Ａの形態の際の上方側面）、左腕部３０Ｌの上腕部３２Ｌおよび前腕部３３Ｌの上方側面（ロボットの形態の際の上方側面）を各辺とする空隙部ＳＰ１ができるようになる。この空隙部ＳＰ１は、胴体部１０上に載置される頭部２０があった部分であるが、上述したように該頭部２０は背中部に形成された凹部７２内に収納されていることから前記空隙部ＳＰ１は比較的大きな面積で形成されるようになっている。この空隙部ＳＰ１は、後の説明で明らかとなるように、ロボット１００Ａの胴体部１０の胸部に形成された複数の舌片部(６０ａ、６０ｂ、６０ｃ、６０ｄ、６０ｅ)のうちの１つの舌片部６０ａによって閉塞されるようになっている。
【００２８】
次に、左右脚部（右脚部５０Ｒ、左脚部５０Ｌ）について説明をする。右脚部５０Ｒ、左脚部５０Ｌは、それぞれ、左右対称の形状および機構で形成されている。このため、右脚部５０Ｒについて説明すると、まず、図１に示すように、下腿部５２Ｒは、大腿部５１Ａに対して支軸５４Ｒを中心として図中矢印Ｃ方向に回動でき、先端の足部５３Ｒをロボット１００Ａの後方へ移動できるようになっている。下腿部５２Ｒがこのような回動をすることによって、該下腿部５２Ｒは、図６に示すような形態をとるようになる。図６において、下腿部５２Ｒの両側面（ロボット１００Ａの形態をとっている状態で）にはそれぞれガス噴射装置７５Ｒが取り付けられており、これらガス噴射装置７５Ｒの噴射口が目視されるようになる。なお、ガス噴射装置７５Ｒは、下腿部５２Ｒの両側面に取り付けられている必要はなく、そのうちの一方の側面のみに取り付けられていてもよい。ガス噴射装置７５Ｒは、たとえば、ロボット１００Ａが戦闘機１００Ｂの形態に変化した際に該戦闘機１００Ｂの推進のための装置となるものである。
【００２９】
また、図６に示す下腿部５２Ｒは、大腿部５１Ａに対して支軸５５Ｒを中心に回動できるようになっている。前記支軸５５Ｒは右脚部５０Ｒの長手方向に沿った中心軸を有し、下腿部５２Ｒは図６の矢印Ｃ方向に回動できるようになっている。これにより、図７に示すように、下腿部５２Ｒの内側面（ロボット１００Ａの形態をとっている場合の内側面）に取り付けられたガス噴射装置７５Ｒの全体像を前方から目視できるようになる。
【００３０】
その後、図７に示すように、下腿部５２Ｒは大腿部５１Ｒに対して支軸７６Ｒを中心に回動できるようになっている。前記支軸７６Ｒはロボット１００Ａの前後方向に沿って中心軸を有し、下腿部５２Ｒは、支軸７６を中心として矢印Ｄ方向に回動でき、その先端（足部）がロボット１００Ａの右側腰部に近接できるように配置されるようになっている。これにより、右脚部５０Ｒは、ロボット１００Ａの形態をとっている場合の前方面を外方へ指向させ、大腿部５１Ｒと下腿部５２Ｒとの関節を屈曲させた状態になる（図８参照）。
【００３１】
左脚部５０Ｌにおいても、右脚部５０Ｒと同様の操作がなされ、ロボット１００Ａは、図８に示すような形態に変化する。なお、図中、左脚部５０Ｌを構成する上述の各部材等には、右脚部５０Ｒの対応する部材と同数字で添字Ｒに替えて添字Ｌからなる符号を付して示している。
【００３２】
ここで、図８に示すように、胴体部１０と右脚部５０Ｒの間、胴体部１０と左脚部５０Ｌの間には、それぞれ、ほぼ矩形状の孔からなる空隙部ＳＰ３、ＳＰ４ができるようになる。すなわち、たとえば胴体部１０と右脚部５０Ｒの間の空隙部ＳＰ３について説明すれば、大腿部５１Ｒの外側面、下腿部５３Ｒの後側面（ロボットの形態の際の後側面）、胴体部１０の外側面、腰部４０の外側面を各辺とする空隙部ＳＰ３が形成されるようになる。この空隙部ＳＰ３は、戦闘機１００Ｂの形態を平面的に観て三角形に近い状態に構成する場合、比較的大きな面積を有するようになることが免れなくなる。この空隙部ＳＰ３は、後の説明で明らかとなるように、ロボット１００Ａの胴体部１０の胸部に形成された複数の舌片部(６０ａ、６０ｂ、６０ｃ、６０ｄ、６０ｅ)のうちの１つの舌片部６０ｃによって閉塞されるようになっている。
【００３３】
また、図３に示すように、胴体部１０の周辺であって、肩部１１Ｒと腰部に近接して配置される下腿部５２の間に、切り欠き状の空隙部ＳＰ２が形成されてしまうことが免れないものとなる。すなわち、この空隙部ＳＰ２は、肩部１１Ｒ、胴体部１０、下腿部５２の先端を各辺として形成されるようになる。この空隙部ＳＰ２は、後の説明で明らかとなるように、ロボット１００Ａの胴体部１０の胸部に形成された複数の舌片部(６０ａ、６０ｂ、６０ｃ、６０ｄ、６０ｅ)のうちの１つの舌片部６０ｂによって閉塞されるようになっている。
【００３４】
なお、上述のような空隙部は、図８に示すように、上述した空隙部ＳＰ２、ＳＰ３の他に、胴体部１０と左脚部５２Ｌとの間に空隙部ＳＰ４が形成され、また、胴体部１０と肩部１１Ｌと下腿部５２Ｌとの間に空隙部ＳＰ５が形成されるようになっている。
【００３５】
次に、胴体部１０について説明をする。胴体部１０は、その前方面（ロボットの形態の際の前方部）の大部分の領域を被うようにして、たとえば５個の舌片部６０ａ、６０ｂ、６０ｃ、６０ｄ、６０ｅが配置されていることは上述した通りである。これら舌片部６０ａ、６０ｂ、６０ｃ、６０ｄ、６０ｅは、ロボットの形態において、たとえば胸当て部として形成され、表面には種々の模様等が施され、５個の舌片部６０ａ、６０ｂ、６０ｃ、６０ｄ、６０ｅの各模様等の組み合わせによってたとえば威嚇的なイメージをもたせるような工夫がなされている。たとえば、本実施形態において、５個の舌片部６０ａ、６０ｂ、６０ｃ、６０ｄ、６０ｅの表面にはそれぞれ、舌片部６０ａは額、舌片部６０ｂ、６０ｃは目、舌片部６０ｄ、６０ｅは頬や口を表現する模様が描かれており、ロボット形態の胸当て部に５個の舌片部が放射状に配置されることによって顔が表現されるようになっている。
【００３６】
そして、舌片部６０ａ、６０ｂ、６０ｃ、６０ｄ、６０ｅのそれぞれは、その基部に形成された支軸６１ａ、６１ｂ、６１ｃ、６１ｄ、６１ｅを中心として、ほぼ１８０°の範囲で回動（図８の矢印Ｅ方向）できるようになっている。この場合、上述した回動によって、舌片部６１ａは空隙部ＳＰ１を、舌片部６１ｂは空隙部ＳＰ２を、舌片部６１ｃは空隙部ＳＰ３を、舌片部６１ｄは空隙部ＳＰ４を、舌片部６１ｅは空隙部ＳＰ５をそれぞれ閉塞できるようになっている。戦闘機１００Ｂの下面を示す図３には、舌片部６０ａ、６０ｂ、６０ｃ、６０ｄ、６０ｅのそれぞれが、対応する空隙部ＳＰ１、ＳＰ２、ＳＰ３、ＳＰ４、ＳＰ５内に位置づけられて配置されている状態を示している。また、戦闘機１００Ｂの上面を示す図４においても、舌片部６０ａ、６０ｂ、６０ｃ、６０ｄ、６０ｅのそれぞれが、対応する空隙部ＳＰ１、ＳＰ２、ＳＰ３、ＳＰ４、ＳＰ５内に位置づけられて配置されていることが判る。
【００３７】
ロボット１００Ａは、その頭部２０、左右腕部３０Ｒ、３０Ｌ、左右脚部５０Ｒ、５０Ｌの上述した回動によって、飛行方向に先鋭部を有する三角形状の戦闘機１００Ｂに変化させることができる。この場合、頭部２０、左右腕部３０Ｒ、３０Ｌ、左右脚部５０Ｒ、５０Ｌのそれぞれをロボット１００Ａの形態に違和感なく構成した場合、上述した空隙部ＳＰ１、ＳＰ２、ＳＰ３、ＳＰ４、ＳＰ５が形成されてしまうのを免れ得なくなる。このため、ロボット１００Ａの胴体部１０の胸部の個所に、たとえば胸当てとして構成した少なくとも５個の舌片部６０ａ、６０ｂ、６０ｃ、６０ｄ、６０ｅを形成しておき、これら各舌片部６０ａ、６０ｂ、６０ｃ、６０ｄ、６０ｅをそれぞれの支軸６１ａ、６１ｂ、６１ｃ、６１ｄ、６１ｅを中心に回動させ、外側方向に広げることによって、これらの各舌片部６０ａ、６０ｂ、６０ｃ、６０ｄ、６０ｅが対応する個所に形成される空隙部ＳＰ１、ＳＰ２、ＳＰ３、ＳＰ４、ＳＰ５を閉塞できるようになる。このため、戦闘機１００Ｂは、前記空隙部ＳＰ１、ＳＰ２、ＳＰ３、ＳＰ４、ＳＰ５による孔部あるいは切り欠き部が形成されることのない三角形状として構成でき、本物の戦闘機１００Ｂに近い形状として構成することができる。
【００３８】
そして、各舌片部６０ａ、６０ｂ、６０ｃ、６０ｄ、６０ｅは、その支軸６１ａ、６１ｂ、６１ｃ、６１ｄ、６１ｅを中心にして約１８０°に回動させる構成としていることから、ロボット１００Ａの形態をとる場合と戦闘機１００Ｂの形態をとる場合とで表裏が逆の関係となる。このため、各舌片部６０ａ、６０ｂ、６０ｃ、６０ｄ、６０ｅの一方の面において、ロボット１００Ａの一部を構成する模様、構成を付すことができ、他方の面において、戦闘機１００Ｂの一部を構成する模様、構成を付すことができるようになる。
【００３９】
胴体部１０において、各舌片部６０ａ、６０ｂ、６０ｃ、６０ｄ、６０ｅが形成されている面は、各舌片部６０ａ、６０ｂ、６０ｃ、６０ｄ、６０ｅの先端が内側（胴体部の中央）に指向するように配置されている場合、ロボット１００Ａの胸部として機能するようになり、各舌片部６０ａ、６０ｂ、６０ｃ、６０ｄ、６０ｅの先端が外側に指向するように配置されている場合、戦闘機１００Ｂの下面として機能するようになる。このため、舌片部６０ａ、６０ｂ、６０ｃ、６０ｄ、６０ｅを広げることによって露出される胴体部１０の面には、戦闘機１００Ｂの腹部としての形態が施されているようになっている。なお、本実施形態において、ロボット１００Ａの胸部の模様は複数の舌片部６０ａ、６０ｂ、６０ｃ、６０ｄ、６０ｅの組合せにより表現されるため、各舌片部６０ａ、６０ｂ、６０ｃ、６０ｄ、６０ｅの先端が外側に指向するように配置されて戦闘機１００Ｂの形態に変化した際に、舌片部６０ａ、６０ｂ、６０ｃ、６０ｄ、６０ｅのそれぞれの模様は戦闘機１００Ｂの模様とも馴染むようになる。
【００４０】
なお、図３、図４に示す戦闘機１００Ｂは、上述したと逆の操作をすることによって、図１、図２に示すロボット１００Ａの形態にも変形でき、ロボット１００Ａと戦闘機１００Ｂの間において可逆的な変形ができることはいうまでもない。
【００４１】
また、上述した実施形態では、特に、説明しなかったが、変形ロボット玩具１００の各部材（左右腕部、左右脚部、舌片部等）を対応する支軸を中心に回動させる構成において、その回動の過程において、少なくともロボットあるいは戦闘機の形態をとる際にたとえばクリック作用を行わせる機構、あるいは係止部を設けるようになっていてもよい。ロボットあるいは戦闘機の形態をとった際に、各部材が元の状態に容易に戻ってしまうのを防止し、一方の形態から他方の形態に変化させる動作をしない限り、現存の形態を維持させるようにするためである。
【００４２】
本発明の変形ロボット玩具は、樹脂から作られる構成としたが、これに限られることはなく、たとえば金属や木材などから構成されていてもよいことはいうまでもない。
【符号の説明】
【００４３】
１００……変形ロボット玩具、１００Ａ……ロボット、１００Ｂ……戦闘機、１０……胴体部、１１Ｒ、１１Ｌ……肩部、１２Ｒ、１２Ｌ……支軸、２０……頭部、２１……支軸、３０Ｒ……右腕部、３０Ｌ……左腕部、３２Ｒ……上腕部、３３Ｒ……前腕部、３４Ｒ……支軸、３５Ｒ、３５Ｌ……連結部、４０……腰部、５０Ｒ……右脚部、５０Ｌ……左脚部、５１Ｒ……大腿部、５２Ｒ……下腿部、５３Ｒ……足部、５４Ｒ、５４Ｌ……支軸、５５Ｒ、５５Ｌ……支軸、６０ａ、６０ｂ、６０ｃ、６０ｄ、６０ｅ……舌片部、６１ａ、６１ｂ、６１ｃ、６１ｄ、６１ｅ……支軸、７０……蓋部、７１……支軸、７２……凹部、７５Ｒ、７５Ｌ……ガス噴射装置、７６Ｒ、７６Ｌ……支軸。
【図１】
2012011032.tif 000003
【図２】
2012011032.tif 000004
【図３】
2012011032.tif 000005
【図４】
2012011032.tif 000006
【図５】
2012011032.tif 000007
【図６】
2012011032.tif 000008
【図７】
2012011032.tif 000009
【図８】
2012011032.tif 000010
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
胴体部、頭部、関節部を有する左右腕部、関節部を有する左右脚部を備えたロボットを戦闘機の形態に変化できる変形ロボット玩具であって、
前記胴体部の胸部に放射状に配置され、中心側に指向する先端を前記中心側と反対側に指向できるように前記胴体部に対して回動可能に配置される複数の舌片部が備えられ、
前記ロボットの形態において、前記頭部を、前記胴体部に対して回動させることによって前記胴体部の背面側に移動させ、
前記左右腕部を、それぞれ、先端が前記胴体部の上方で近接して位置づけられるように回動させ、
前記左右脚部を、それぞれ、大腿部と下腿部との間の関節部で回動させることにより、先端が前記胴体部の腰部の両脇に位置づけさせ、
前記複数の舌片部を回動させる変形を行った際、前記複数の舌片部が、前記胴体部と前記左右腕部の間の空隙部、前記左右腕部と前記左右脚部との間の空隙部、前記胴体部と前記大腿部と前記下腿部との間の空隙部を閉塞することで前記戦闘機の形態に変形する変形ロボット玩具。
【請求項２】
請求項１において、
前記胴体部の背面側に凹部が形成され、前記頭部は前記凹部に収納される変形ロボット玩具。
【請求項３】
請求項２において、
前記胴体部の背面側には、前記凹部を閉塞する蓋部が設けられている変形ロボット玩具。
【請求項４】
請求項１乃至請求項３のいずれか一項において、
前記下腿部は前記大腿部に対して前記左右脚部の長手方向の周りに回動でき、前記下腿部の側面に備えられる噴射装置が、前記戦闘機の形態における前記戦闘機の少なくとも一の側面に位置づけられる変形ロボット玩具。
【請求項５】
請求項１乃至請求項４のいずれか一項において、
前記複数の舌片部は、第１乃至第５の舌片部を有し、前記第１の舌片部には額、前記第２の舌片部と前記第３の舌片部には目、前記第４の舌片部と前記第５の舌片部には頬や口を表現する模様が描かれている変形ロボット玩具。
【手続補正２】
【補正対象書類名】明細書
【補正対象項目名】０００８
【補正方法】変更
【補正の内容】
【０００８】
本発明の変形ロボット玩具は、本発明の変形ロボット玩具は、胴体部、頭部、関節部を有する左右腕部、関節部を有する左右脚部を備えたロボットを戦闘機の形態に変化できる変形ロボット玩具であって、胴体部の胸部に放射状に配置され、中心側に指向する先端を前記中心側と反対側に指向できるように胴体部に対して回動可能に配置される複数の舌片部が備えられ、ロボットの形態において、頭部を、胴体部に対して回動させることによって胴体部の背面側に移動させ、左右腕部を、それぞれ、先端が前記胴体部の上方で近接して位置づけられるように回動させ、左右脚部を、それぞれ、大腿部と下腿部との間の関節部で回動させることにより、先端が胴体部の腰部の両脇に位置づけさせ、複数の舌片部を回動させる変形を行った際、複数の舌片部が、胴体部と左右腕部の間の空隙部、左右腕部と左右脚部との間の空隙部、胴体部と大腿部と下腿部との間の空隙部を閉塞することで前記戦闘機の形態に変形する。
【手続補正３】
【補正対象書類名】明細書
【補正対象項目名】０００９
【補正方法】変更
【補正の内容】
【０００９】
また、本発明の変形ロボット玩具において、胴体部の背面側に凹部が形成され、頭部は凹部に収納されることが好ましい。また、本発明の変形ロボット玩具において、胴体部の背面側には、凹部を閉塞する蓋部が設けられていることが好ましい。また、本発明の変形ロボット玩具において、下腿部は大腿部に対して左右脚部の長手方向の周りに回動でき、下腿部の側面に備えられる噴射装置が戦闘機の形態における戦闘機の少なくとも一の側面に位置づけられることが好ましい。